【事件の表示】
　特許第３２２３５０６号「画像編集サービスシステム」の請求項１ないし５に係る特許に対する特許異議の申立てについて、次のとおり決定する。
【結　論】
　訂正を認める。
　特許第３２２３５０６号の請求項１に係る特許を維持する。
【理　由】
１．手続の経緯
　特許第３２２３５０６号に係る発明についての出願は、平成１０年１１月１９日の特許出願であって、平成１３年８月２４日にその発明について特許の設定登録がなされ、その後、その特許請求の範囲における請求項１−５に係る発明について、異議申立人大木茂より特許異議の申立てがなされ、取消理由通知がなされ、その指定期間内である平成１４年９月２４日に訂正請求書及び特許異議意見書が提出され、更にその後、取消理由通知がなされ、その指定期間内である平成１４年１２月３日に訂正請求書及び特許意見書が提出されたものである。
　なお、平成１４年９月２４日付けで提出された訂正請求書及び意見書は、取り下げられた。
　
２．訂正の適否について
（１）訂正の内容
　平成１４年１２月３日付けの訂正請求書による訂正事項は、（ａ）〜（ｃ）に示されるとおりである。
　
（ａ）特許請求の範囲の請求項１〜４を削除する。
　
（ｂ）特許請求の範囲の請求項５
　「【請求頃５】（Ａ）送信局から入力される画像データを第１の通信網により転送　するステップと、前記送信局は前記第１の通信網の加入者としての番号を有し、
　（Ｂ）設定された編集仕様に基づいて、前記第１の通信網からの前記転送された画像データを編集し、前記編集された画像データを格納するステップとから成り、
　前記設定された編集仕様は、設定テーブルに登録され、前記画像編集サービスは、前記設定テーブルに登録された送信すべきインターネット・メイルアドレスに、前記編集された画像データを転送するステップとを更に含む事を特徴とする画像編集サービス。」
を、
　「【請求項１】（Ａ）送信局から入力される画像データを第１の通信網により転送するステップと、前記送信局は前記第１の通信網を提供する通信業者の加入者としての番号を有し、
（Ｂ）前記第１の通信網との接続部及びインターネット網との接続部とを有し、各通信網のプロトコルに従ってデータの送受信を行う画像編集装置において、インターネット網を利用して設定された編集仕様に基づいて、前記第１の通信網からの前記転送された画像データを編集し、前記編集された画像データを格納するステップとから成り、
　前記設定された編集仕様は、設定テーブルに登録され、画像編集サービス方法は、前記設定テーブルに登録された送信すべきインターネット・メイルアドレスに、前記編集された画像データを転送するステップとを更に含む事を特徴とする画像編集サービス方法。」
と訂正する。
　
（ｃ）発明の詳細な説明の欄の段落【００３１】における次の記載
　「【００３１】更に、本発明の画像編集サービスは、(Ａ)送信局から入力される画像データを第１の通信網により転送するステップと、前記送信局は前記第１の通信網の加入者としての番号を有し、(Ｂ)設定された編集仕様に基づいて、前記第１の通信網からの前記転送された画像データを編集し、前記編集された画像データを格納するステップとから成る事を特徴とする。」
を、
　「【００３１】更に、本発明の画像編集サービス方法は、(Ａ)送信局から入力される画像データを第１の通信網により転送するステップと、前記送信局は前記通信網を提供する通信業者の加入者としての番号を有し、(Ｂ)前記第１の通信網の接続部とインターネット網との接続部とを有し、各通信網のプロトコルに従ってデータの送受信を行う画像編集装置において、インターネット網を利用して設定された編集仕様に基づいて、前記第１の通信網からの前記転送された画像データを編集し、前記編集された画像データを格納するステップとから成る事を特徴とする。」
と訂正する。
　
（２）訂正の目的の適否、新規事項の有無及び拡張・変更の存否
　上記訂正事項（ａ）は、特許請求の範囲の請求項１〜４を削除するものであり、特許請求の範囲の減縮に該当し、新規事項の追加に該当しない。
　上記訂正事項（ｂ）は、願書に添付した明細書に記載された事項の範囲内において訂正するものであり、特許請求の範囲の減縮に該当し、新規事項の追加に該当しない。
　上記訂正事項（ｃ）は、願書に添付した明細書に記載された事項の範囲内において訂正するものであり、明りょうでない記載の釈明に該当し新規事項の追加に該当しない。
　そして、上記訂正は、実質上特許請求の範囲を拡張し、変更するものでもない。
　
（３）以上のとおりであるから、上記訂正は、特許法第１２０条の４第２項及び同条第３項において準用する特許法第１２６条第２項から第４項までの規定に適合するので、当該訂正を認める。
　
３．特許異議の申立てについて
　異議申立人大木茂は、証拠として
甲第１号証（特開平１０−２４３２６３号公報）、及び参考資料（特開平１０−２６０９１６号公報）を提出し、本件請求項１−５に係る発明は、甲第１号証に記載された発明に基いて当業者が容易に発明をすることができたものであるから、特許法第２９条第２項の規定により特許を受けることができないものであり、したがって、本件請求項１−５に係る発明の特許を取消すべき旨主張している。
　　
４．本件発明
　平成１４年１２月３日付けで提出された訂正明細書の請求項１に係る発明は、その特許請求の範囲の請求項１に記載された次のとおりのものである。
　
【請求項１】（Ａ）送信局から入力される画像データを第１の通信網により転送するステップと、前記送信局は前記第１の通信網を提供する通信業者の加入者としての番号を有し、
（Ｂ）前記第１の通信網との接続部及びインターネット網との接続部とを有し、各通信網のプロトコルに従ってデータの送受信を行う画像編集装置において、インターネット網を利用して設定された編集仕様に基づいて、前記第１の通信網からの前記転送された画像データを編集し、前記編集された画像データを格納するステップとから成り、
　前記設定された編集仕様は、設定テーブルに登録され、画像編集サービス方法は、前記設定テーブルに登録された送信すべきインターネット・メイルアドレスに、前記編集された画像データを転送するステップとを更に含む事を特徴とする画像編集サービス方法。
　
５．引用刊行物記載の発明
（１）当審が通知した取消理由に引用した刊行物１（特開平１０−２４３２６３号公報）（甲第１号証）には、図面とともに以下（ア）〜（コ）に示される事項が記載されている。
　
（ア）「【０００４】また最近では、電子手帳などのＰＤＡ（Personal Digital Assistant）機能を有した装置に上記デジタルカメラ機能を具備したものも商品化されて、撮影した画像データを電話回線を通じて他へ送信することも可能になっている。」（段落【０００４】）
　
（イ）「画像データ処理システム１は、撮像装置としてのＰＤＡ（Personal Digital Assistant）２、センター装置としての画像データ処理装置３、端末装置としてのパーソナルコンピュータ４等で構成され、」（段落【００１４】）
　
（ウ）「【００２１】通信装置１６は、画像データ処理装置３或いは端末装置４と通信回線ａを会して画像データ等を送受信するための通信プロトコルを実行する機能を有し、通信回線ａと接続可能な端子が備えられている。」（段落【００２１】）
　
（エ）「ＰＤＡ２は、ユーザによる送信命令に従い画像データ、該画像データの撮影した時間のデータ、ＧＰＳデータ、縦横データ、枚数データ、コメント、タイトル、更に、希望する出力形式の命令信号も画像データ処理装置３に送信する。」（段落【００２５】）
　
（オ）「【００２９】データ記憶装置３４には、図１１に示すようなフォーマットメモリ３４ａ、データメモリ３４ｂ、アルバムメモリ３４ｃ等で構成され，ＰＤＡ２から送信される画像データやそれに関連するデータ或いは編集後の画像データやそれに関連するデータが記憶されている。」（段落【００２９】）
　
（カ）「【００３１】そして、画像データ処理装置３は、ＰＤＡ２から受信した画像データやそれに関連するデータ、或いは出力形式の命令信号を通信装置３５で受信し、受信した画像データ等をデータ記憶装置３４に記憶しておく。そして、出力形式の命令信号に基づいて，ＣＰＵ３１によりデータ記憶装置３４から画像データ等を取りだし、画像データ等の編集処理を行い、」（段落【００３１】）
　
（キ）「画像データに対し、ユーザの必要に応じて分類（例えば、同一種類のものをグルーピングするために使用する。）を入力する。」（段落【００４３】）
　
（ク）「データメモリ３４ｂに画像データ及びその関連データを記憶する。（例えば、図１２に示すように画像データ５０に対応付けて関連データ（時間５１、場所５２、コメント５３、枚数５４、分類５５）が記憶される。」（段落【００４９】）
　　
（ケ）「【００６０】また、この場合、自宅のパーソナルコンピュータ４と画像データ処理装置３が通信回線ａを介して接続されている。従って、ユーザは、画像処理装置３で編集した画像データ及び画像データ関連情報をパーソナルコンピュータ４に取り込んで、不要な画像データの削除、配置換え、或いはコメントやタイトルなどの追加変更等の再編集が出来る」（段落【００６０】）
　
（コ）「【００６５】図１６はサーバ５５内のメモリ構成を示す。図１６のメモリ構成は、図１２に示すメモリ構成に加えて、さらに方位の情報およびその他の情報を記憶する。方位の情報はＰＤＡ５３の方位センサ７５により計測された方位情報を記憶する。また、他の情報は例えば、旅先で知り合った人を撮影したとき、その人の電子メールアドレスを聞き、それをＰＤＡ５３からサーバ５５に送ることにより、その電子メールアドレスが記憶される。この結果、後で、その撮像した画像データをその電子メールアドレスに送信することができる。」（段落【００６５】）
　
（２）当審が通知した取消理由に引用した刊行物２（特開平１０−２６０９１６号公報）（参考資料）には、
　まず、携帯端末１のユーザが、Ｅメールとして送信したい文章、送信先の端末９のメールアドレス、及びホスト装置４に要求するサービスが「メール送信」であることを識別する情報を紙面にメモ書きする。
　次に、携帯端末１の画像入力部であるカメラ２は、この紙面を撮影し紙面上の画像データを取り込みホスト装置４に転送する。ホスト装置４は、画像認識部５により受信画像データを解析し、要求サービスが「メール送信」であること、及び「送信先のメールアドレス」を認識すると、メール送受信部６を起動し、画像データ内に含まれているメモ書き内容をメールアドレスによって指定される送信先端末９に送信することにより電子メールのユーザインタフェイスの向上を計ることが記載されている。
　
６．対比・判断
　請求項１に係る発明と刊行物１及び２に記載された発明とを対比すると、
　刊行物１及び２に記載された発明はいずれも、請求項１に記載された発明の要件である
　「送信局から入力される画像データを第１の通信網により転送するステップと、前記送信局は前記第１の通信網を提供する通信業者の加入者としての番号を有し、
　前記第１の通信網との接続部及びインターネット網との接続部とを有し、各通信網のプロトコルに従ってデータの送受信を行う画像編集装置において、インターネット網を利用して設定された編集仕様に基づいて、前記第１の通信網からの前記転送された画像データを編集し、前記設定された編集仕様は、設定テーブルに登録され、画像編集サービス方法は、前記設定テーブルに登録された送信すべきインターネット・メイルアドレスに、前記編集された画像データを送信する」
点について開示しない。
　そして、請求項１に係る発明は、上記要件を有することにより、明細書記載の
　「本発明による画像編集サービスシステムは、利用者からの画像データに編集を施して格納する。この通信事業者網によるサービスは、インターネット・サービスプロバイダに加入していない利用者にも提供される。」
という効果を奏するものであるから、請求項１に係る発明は、刊行物１又は２に記載された発明であるとも、刊行物１及び２に記載された発明に基いて当業者が容易に発明をすることができた発明であるともいえない。
　
７．むすび
　以上のとおりであるから、特許異議申立の理由及び証拠によっては、本件請求項１に係る発明の特許を取り消すことができない。
　また、他に本件請求項１に係る発明の特許を取り消すべき理由を発見しない。
　よって、結論のとおり決定する。
　　　　　　　　　　　　　　　　　　　　　　
【異議決定日】
平成１５年１月７日（２００３．１．７）
【訂正の要旨】
訂正事項
ａ．特許請求の範囲の請求項１〜４を、特許請求の範囲の減縮を目的として、削除する。
ｂ．特許請求の範囲の請求項５
「【請求項５】（Ａ）送信局から入力される画像データを第１の通信網により転送するステップと、前記送信局は前記第１の通信網の加入者としての番号を有し、
（Ｂ）設定された編集仕様に基づいて、前記第１の通信網からの前記転送された画像データを編集し、前記編集された画像データを格納するステップとから成り、
前記設定された編集仕様は、設定テーブルに登録され、前記画像編集サービスは、前記設定テーブルに登録された送信すべきインターネット・メイルアドレスに、前記編集された画像データを転送するステップとを更に含む事を特徴とする画像編集サービス。」を特許請求の範囲の減縮を目的として、
「【請求項１】　（Ａ）送信局から入力される画像データを第１の通信網により転送するステップと、前記送信局は
前記第１の通信網を提供する通信業者
（Ｂ）
前記第１の通信網との接続部及びインターネット網との接続部とを有し、各通信網のプロトコルに従ってデータの送受信を行う画像編集装置において、インターネット網を利用して
前記設定された編集仕様は、設定テーブルに登録され、
画像編集サービス方法は
方法
ｃ．訂正事項ｂに伴い、特許請求の範囲の記載と発明の詳細な説明の記載の整合をとるため、特許掲載公報第３項右欄１０及至１６行目（段落００３１）の
「【００３１】更に、本発明の画像編集サービスは、（Ａ）送信局から入力される画像データを第１の通信網により転送するステップと、前記送信局は前記第１の通信網の加入者としての番号を有し、（Ｂ）設定された編集仕様に基づいて、前記第１の通信網からの前記転送された画像データを編集し、前記編集された画像データを格納するステップとから成る事を特徴とする。」を明りょうでない記載の釈明を目的として、
「【００３１】更に、本発明の画像編集サービス
方法
前記通信網を提供する通信業者
前記第１の通信網の接続部とインターネット網との接続部とを有し、各通信網のプロトコルに従ってデータの送受信を行う画像編集装置において、インターネット網を利用して
（５４）【発明の名称】
画像編集サービスシステム
（５７）【特許請求の範囲】
　【請求項１】　（Ａ）送信局から入力される画像データを第１の通信網により転送するステップと、前記送信局は
前記第１の通信網を提供する通信業者
（Ｂ）
前記第１の通信網との接続部及びインターネット網との接続部とを有し、各通信網のプロトコルに従ってデータの送受信を行う画像編集装置において、インターネット網を利用して
前記設定された編集仕様は、設定テーブルに登録され、
画像編集サービス方法は
方法
【発明の詳細な説明】
　【０００１】
　【発明の属する技術分野】本発明は、画像編集サービスシステムに関し、特に、通信事業者が提供する通信網において、携帯情報端末により作成された画像データに編集を施して格納する為の画像編集サービスシステムに関する。
　【０００２】
　【従来の技術】ディジタルカメラ及び電子手帳（Ｐｅｒｓｏｎａｌ　Ｄｉｇｉｔａｌ　Ａｓｓｉｓｔａｎｔ，ＰＤＡ）等の携帯情報端末が普及している。これら携帯情報端末の普及により、画像データを作成する機会が増加している。
　【０００３】一般に、携帯情報端末により作成された画像データは、情報端末により編集され、インターネット網を利用して送信又は受信される。今後屋外において、画像データを作成する機会が増加する事が予想される。
　【０００４】本発明に関連する開示技術として、特開平８−１３８０３３は、クライアントの画像描画処理をサーバに代行させる画像編集装置及び画像表示制御装置から成るシステムに関する技術を開示している。
　【０００５】このシステムにおける画像表示制御装置は、画像処理を実行するサーバと接続され、サーバに描画命令を出力する為の手段と、描画命令を解釈してサーバ上に確保された画像描画メモリ上に描画された画像データを取得する為の手段と、画像データを画面メモリに表示する手段とを備えている。
　【０００６】又、特開平８−２１４３７３は、送信相手毎に送信したテキストデータや画像データを送信後でも確認できる無線通信システム及び無線通信携帯情報端末を開示している。
　【０００７】この無線通信システムにおいて、送信側の無線通信携帯情報端末からの情報は、通信回線上に設けられた記憶手段に保持された後、受信側の無線通信携帯情報端末へ送信される。
　【０００８】更に、特開平１０−１４９３０９は、ディジタル画像情報蓄積システムに関する技術を開示している。このディジタル画像情報蓄積システムは、少ないメモリ容量の携帯端末を用いても多くのディジタル画像情報を取得可能であり、後に画像情報の各々にアクセスして手元に転送する。
　【０００９】図６に、従来の画像編集システムに関して説明する。これは、ディジタルカメラ及びＰＤＡ等の携帯情報端末により作成された画像データを編集して送信又は受信するシステムである。
　【００１０】移動体端末６０１から移動体端末６０４に画像データを転送する場合について説明する。移動体端末６０１は、移動通信網Ａ’の加入者端末である。移動体端末６０４は、移動通信網Ｂ’の加入者端末である。
　【００１１】デジタルカメラ６０２で撮映された画像データは、情報端末６０３により編集され、バイナリデータとして移動体端末６０１から移動通信網Ａ’を経由して送信先へ転送される。
　【００１２】送信先は、移動体端末６０１の所有者が加入するインターネット・サービスプロバイダＥ’（以下、ＩＳＰ−Ｅ’）である。ＩＳＰ−Ｅ’は、インターネット網Ｆを経由して、移動体端末６０４の所有者が加入するインターネット・サービスプロバイダＤ’（以下、ＩＳＰ−Ｄ’）にバイナリデータを送信する。
　【００１３】移動体端末６０４は、自ら発信して、移動通信網Ｂ’を介してＩＳＰ−Ｄ’にアクセスし、情報端末６０５に移動体端末６０１からの画像データをダウンロードする。
　【００１４】次に、移動体端末６０１からＩＳＰ−Ｅ’に加入する情報端末６０６の所有者に画像データを転送する場合について説明する。
　【００１５】ディジタルカメラ６０２に保存されている画像データを移動体端末６０１から移動通信網Ａ’を経由して、移動体端末６０６の所有者が加入するＩＳＰ−Ｅ’に転送する。情報端末６０６は、固定通信網Ｃを介してＩＳＰ−Ｅ’にアクセスし画像データをダウンロードする。
　【００１６】又、情報端末６０７は、社内等のインターネット・アクセスサーバからインターネット網Ｆに直接アクセスできる端末である。情報端末６０７は、インターネット網Ｆを介して、ＩＳＰ−Ｅ’にアクセスし画像データをダウンロードする。
　【００１７】従来の通信網によれば、画像データは転送されるのみである。画像データに編集を施す為には、パーソナルコンピュータ等の情報端末が必要となる。
　【００１８】例えば、旅行先で撮影したディジタル写真を絵葉書の様な感覚でオリジナルに編集して転送する場合には、編集ソフトがインストールされているパソコン等が必要となる。
　【００１９】然し、外出時において、送信者が画像データに編集を施す為の情報端末を持ち歩くのは不便である。更に、従来の通信網を利用する為には、送信者が画像データを編集する為の情報端末を所持し、且つ自由に操作できなければならない。
　【００２０】又、従来のデータ通信は、インターネット網Ｆのメイルボックスに対する送信及び受信や、ホームページ閲覧等の為にインターネット網Ｆにアクセスする権利を所有する者に限定される。
　【００２１】従来の通信網によるデータ通信を利用する為には、送信及び受信者が共にインターネット網Ｆを利用する為の権利を所有していなければならない。
　【００２２】
　【発明が解決しようとする課題】加入している通信網を利用して、携帯情報端末により作成された画像データに対し、手軽に編集を施して格納する為のサービスシステム、更には、送信先に編集された画像データを転送する為のサービスシステムが望まれる。
　【００２３】又、画像データの編集及び格納処理、更に送信処理は、画像データの作成者又は送信先による設定に基づいて、タイムリーに実行される事が好ましい。
　【００２４】本発明は、画像データに編集を施し格納する為の画像編集サービスシステムを提供する事を目的とする。このサービスシステムは、通信事業者網より提供され、インターネット・サービスプロバイダに加入していない者にも提供される。
　【００２５】
　【課題を解決するための手段】上記課題を解決する為に、本発明の画像編集サービスシステムは、送信局から入力される画像データを転送する為の第１の通信網と、前記送信局は前記第１の通信網の加入者としての番号を有し、設定された編集仕様に基づいて、前記第１の通信網からの前記転送された画像データを編集し、前記編集された画像データを格納する為の格納手段を備える画像編集装置とから成る事を特徴とする。
　【００２６】又、前記設定された編集仕様は、設定テーブルに登録され、前記画像編集装置は、前記設定テーブルに登録された送信すべきインターネット・メイルアドレスに、前記編集された画像データを転送する為の送信手段とを更に備える事を特徴とする。
　【００２７】更に、前記画像編集装置は、閲覧手段と、編集手段と、通信補助手段と、カスタマ設定手段とを更に備える事を特徴とする。
　【００２８】更に、前記画像データは、前記送信局である移動体端末と通信回線により接続された携帯情報端末により作成されたデータである事を特徴とする。
　【００２９】更に、前記設定された編集仕様は、前記送信局が前記画像データを転送する際に、予め設定される
事を特徴とする。
　【００３０】更に、前記設定された編集仕様は、前記送信局が前記画像データを編集する際に、インターネット網を利用して設定されるか、或いは前記受信局が前記画像データを編集する際に、前記インターネット網を利用して設定される事を特徴とする。
　【００３１】更に、本発明の画像編集サービスは、（Ａ）送信局から入力される画像データを第１の通信網により転送するステップと、前記送信局は
前記第１の通信網を提供する通信業者
前記第１の通信網との接続部及びインターネット網との接続部とを有し、各通信網のプロトコルに従ってデータの送受信を行う画像編集装置において、インターネット網を利用して
　【００３２】更に、前記設定された編集仕様は、設定テーブルに登録され、前記画像編集サービスは、前記設定テーブルに登録された送信すべきインターネット・メイルアドレスに、前記編集された画像データを転送するステップとを更に含む事を特徴とする。
　【００３３】
　【発明の実施の形態】本発明の画像編集サービスシステムの実施の形態に関し、以下に添付図面を参照して詳細に説明する。図１に、本発明の第１の実施の形態に係る画像編集サービスシステムの概念を与えるブロック構成図を示す。
　【００３４】図１を参照して、本発明の画像編集システムは、通信網（図１では、移動通信網Ａ）のセンター局に画像編集装置１０１に設けられる。通信網は、電話機、特に移動体端末と携帯情報端末（ディジタルカメラ、電子手帳等）とにより、画像等のデータ通信サービスを提供する。
　【００３５】画像編集装置１０１は、移動通信網Ａとインターネット網Ｆとの各々に対応するインターフェースを有し、移動通信網Ａとインターネット網Ｆとに接続される。画像編集装置１０１は、各通信網のプロトコルに従ってデータの送受信を行なう。
　【００３６】本発明である画像編集サービスシステムは、移動通信網Ａと、移動通信網Ｂと、固定通信網Ｃと、インターネット網Ｆと、インターネット・サービスプロバイダＤ（以下、ＩＳＰ−Ｄ）と、インターネット・サービスプロバイダＥ（以下、ＩＳＰ−Ｅ）及び画像編集装置１０１とから構成される。
　【００３７】移動体端末２１１は、移動通信網Ａの加入者端末であり、携帯情報端末２１２とは通信回線により接続される。移動体端末２２１は、移動通信網Ｂの加入者端末であり、携帯情報端末２２２とは通信回線により接続される。
　【００３８】携帯情報端末２１２，２２２は、デジタルカメラ等のモデム機能を有する端末である。情報端末２３２は、有線回線による固定通信網Ｃの加入者端末である。情報端末２４３は、社内等のインターネット・アクセスサーバからインターネット網Ｆに直接アクセスが可能なネットワーク端末である。
　【００３９】本実施の形態において、移動通信網Ａと移動通信網Ｂ及び固定通信網Ｃとは互いに通信事業者が異なる。通信網は、移動局と移動局間、移動局と固定局間、或いは固定局と固定局間の通信を提供するシステムであり、例えば、日本電信電話株式会社により提供される様な通信システムである。
　【００４０】例えば、移動通信網Ａの加入者端末２１１から、ＩＳＰ−Ｅのサーバに画像データ（図示せず）を転送する場合、画像編集装置１０１は、移動通信網Ａからの画像データに編集を施し、編集された画像データを格納する。
　【００４１】画像編集装置１０１は、インターネット網Ｆを介して、編集された画像データをＩＳＰ−Ｅのサーバに転送する。
　【００４２】加入者端末２１１（送信局）の発信者は、転送すべき画像データに対応する情報を画像編集装置１０１の設定テーブル１５１（図３参照）に予め設定する。画像編集装置１０１は、予め設定された発信者の電話番号に基づいてセキュリティー・チェックを実行し、画像データのアップロードを許可する。
　【００４３】更に、画像編集装置１０１は、設定テーブル１５１に予め設定された編集仕様及び編集のタイミングに基づいて、移動通信網Ａから転送された画像データを編集して格納する。編集された画像データには、編集仕様に従い未編集の画像データも含まれる。
　【００４４】画像編集装置１０１は、設定テーブルに１５１に予め設定された送信タイミングに基づいて、編集された画像データをインターネット網Ｆを介して、送信すべきインターネット・メイルアドレスに転送する。送信すべきインターネット・メイルアドレスは、設定テーブル１５１に予め設定される（図３参照）。
　【００４５】本発明の画像編集サービスシステムは移動通信網Ａ（第１の通信網）と、画像編集装置１０１とから構成される。画像編集装置１０１は、格納手段１０３及び送信手段１０５とを備える。
　【００４６】移動通信網Ａは、送信局から入力される画像データを転送する。送信局は、移動通信網Ａの加入者としての番号を有する。移動通信網Ａが転送する画像データは、加入者端末２１１に接続された携帯情報端末２１２により作成されたデータである。
　【００４７】移動通信網Ａ以外の通信網の加入者端末であっても、移動通信網Ａの加入者としての番号を有する端末（図１では、加入者端末２２１とする）であれば、移動通信網Ａを介して画像編集装置１０１のサービスを利用できる。
　【００４８】画像編集装置１０１の格納手段１０３は、設定された編集仕様に基づいて、移動通信網Ａからの転送された画像データに編集処理を施して、編集された画像データを格納する。転送された画像データは、設定テーブル１５１に予め設定された編集仕様及び編集タイミングに基づいて編集される。
　【００４９】更に、画像編集装置１０１の送信手段１０５は、送信すべきメイルアドレスに編集された画像データをインターネット網Ｆを介して転送する。編集された画像データは、設定テーブル１５１に予め設定された送信タイミングに基づいて送信される。
　【００５０】画像編集装置１０１は、画像データの所有者を代行して画像データを編集し、編集された画像データを格納する。
　【００５１】図２に、本発明の画像編集サービスシステムにおける画像編集装置１０１のブロック構成図を示す。画像編集装置１０１は、移動通信網Ａのセンター局１２１に設置される。センター局１２１は画像編集装置１０１の他に、出力装置１２３及び音声・ＦＡＸサービス装置１２５を備える。
　【００５２】音声・ＦＡＸサービス装置１２５は、音声の蓄積、再生、認識、合成機能と、ＦＡＸの蓄積、出力装置及びＰＢ信号の送受信機能を有する。画像編集装置１０１は画像編集部１３１と、移動通信対応部１３３と、プロトコル処理部１３５とを備える。
　【００５３】更に、画像編集部１３１は、画像データの安全を守るセキュリティー管理部１３７と、アップロードされた画像データを編集する画像編集部１３９と、編集された画像データを格納する画像格納部１４１と、出力装置１２３と共に画像データの出力処理を行なう外部出力部１４３及びセンター局１２１内における動作を統括する中央制御部１４５とを備える。
　【００５４】移動通信対応部１３３は、特に移動通信網Ａにおける画像データの転送を考慮して、携帯情報端末２１２，２１２’の処理能力に適した画像処理（拡大及び縮小処理、又は減色処理）を行なうのと同時に、通信の継続性を補償する。
　【００５５】プロトコル処理部１３５は、移動通信網Ａに対するプロトコル処理を実行するネットワーク接続部１４１、及びインターネット網Ｆに対するプロトコル処理を実行するインターネット接続部１４９とを備える。
　【００５６】次に、図１及び図４のフローチャート図を参照して、本発明の画像編集サービスシステムの動作を説明する。
　【００５７】移動通信網Ａの加入者としての番号を有する発信者は、転送する画像データに対応する情報を設定テーブル１５１に予め設定する（ステップＳ１０１）。設定テーブル１５１は、セキュリティ管理部１３７に格納される。
　【００５８】図３を参照して、転送される画像データに対応する情報として、編集された画像データを格納した旨を通知する為の通知先電話番号、又は編集された画像データを送信する為の送信先のインターネット・メイルアドレスと、編集仕様、メッセージ、編集タイミング及び送信タイミングが設定される。
　【００５９】本実施の形態では、各発信者（発信者１〜４）の各々の設定情報（編集仕様、編集のタイミング及び送信のタイミング）を示すが、本発明を限定するものではなく、各設定情報の組合せによる登録が可能である。
　【００６０】始めに、画像編集装置１０１における格納手段１０３の処理を説明する。発信者は、加入者端末２１１を利用して、携帯情報端末２１２に保存されている画像データを格納する為に移動通信網Ａに対し画像データ格納用の特別番号により発信する。
　【００６１】移動通信網Ａは、加入者端末２１１からの画像格納用の特別番号に応答して、画像編集装置１０１に呼を接続すると共に、発信者の電話番号を画像編集装置３１に送信する。
　【００６２】画像編集装置１０１は、発信者の電話番号に基づいてセキュリティー・チェックを実行し、画像データのアップロードを開始する。上記処理により、送信局から入力される画像データは、移動通信網Ａにより転送される（ステップＳ１０２）。
　【００６３】画像編集装置１０１は、画像データのアップロードの完了時に、１度呼を切断し、設定テーブル１５１に設定されている編集仕様に基づいて画像データを編集する。編集された画像データは、発信者の電話番号と共に格納される（ステップＳ１０３）。
　【００６４】画像編集装置１０１は、編集された画像データのＩＤ番号とパスワードとを決定し、決定されたＩＤ番号とパスワードとを画像データテーブル１５３に格納する。画像データテーブル１５３は、セキュリティー管理部１３７に格納される。
　【００６５】その後、画像編集装置１０１は、加入者端末２１１に発信する。この発信処理により、編集された画像データのＩＤ番号とパスワードは、音声或いは文字メッセージにより通知される。
　【００６６】次に、画像編集装置１０１は、設定テーブル１５１に設定されている送信タイミングに基づいて、編集された画像データをメッセージに添付し、電子メールとして送信先に送信する（ステップＳ１０４）。
　【００６７】又、画像編集装置１０１は、電話番号が予め登録されている通知先に発信する。この発信処理により、編集された画像データのＩＤ番号とパスワードは、音声或いは文字メッセージにより通知先に通知される。
　【００６８】送信先が、インターネット・メイルアカウントを持っている場合の編集された画像データの取得手順について説明する。携帯情報端末２３２又は情報端末２４３は、ＩＳＰ−Ｅ又は社内のメイルサーバにアクセスして、編集された画像データが添付された電子メールを取得する。
　【００６９】又、送信先が、インターネット・メイルアカウントを持っていない場合の編集された画像データの取得手順について説明する。編集された画像データのＩＤ番号とパスワードは、加入者端末２２１に通知される。携帯情報端末２２２は、加入者端末２２１と接続してインターネット通信用のアクセスポイントに発信する。
　【００７０】次に、加入者端末２２１は、インターネット網Ｆを介して、画像編集装置１０１にアクセスし、編集された画像データのＩＤ番号とパスワードとを入力して編集された画像データを閲覧する。
　【００７１】特に、発信者の加入者端末が移動通信網Ａに加入している場合、発信者は、自分の加入者端末の電話番号とパスワードとを入力する事により、自分が格納した全ての編集された画像データを閲覧、及び編集する事ができる。詳細は後述する。
　【００７２】尚、発信者は、画像データを閲覧及び編集する際、移動通信網Ａの加入者端末からアクセスして通信の継続性を保持できる。継続性は、通信状態の悪化に伴う通信の切断時において自動的に再接続し、更に切断された箇所からデータを再送信する事を意味する。
　【００７３】次に、図２に示す画像編集装置１０１の動作を説明する。図３に示した設定テーブル１５１に従い、図１に示した格納手段１０３及び送信手段１０５、更にはその他手段との対応も踏まえて説明する。
　【００７４】図３を参照して、編集タイミングは、画像データのアップロード後の即時編集、画像データのアップロード後に別途設定した際の編集、画像データのアップロード後に即時格納（編集不要）として設定される。尚、編集不要と設定され、格納された画像データも編集された画像データに含まれる。
　【００７５】又、送信タイミングは、編集タイミングの設定に対応して設定される。送信タイミングは、画像格納部１４１に編集された画像データが新規に格納された場合の送信（新規格納時送信）、別途設定により未編集で格納された後、編集が施された後の送信（編集時送信）、時間指定による送信として設定される。
　【００７６】格納手段１０３の動作を説明する。始めに、画像データの編集及び格納処理において、Ｗｅｂブラウザが動作する情報端末から画像データを転送して格納する場合（第１の場合）について説明する。
　【００７７】第１の場合、発信者は、電話網及びインターネット網Ｆを介して画像データを転送する。アップロードされた画像データは、画像編集装置１０１により編集された後、格納される。
　【００７８】Ｗｅｂブラウザが動作しないが、モデム機能搭載の情報端末から画像データを転送して格納する場合（第２の場合）について説明する。第２の場合、発信者は、移動通信網Ａの加入者端末を利用して画像編集装置１０１にアクセスする。
　【００７９】第１の場合の処理を詳細に説明する。発信者は、例えば、移動通信網Ａの加入者端末２１１から携帯情報端末２１２のＷｅｂブラウザを利用して画像データを編集し、編集された画像データを格納する。発信者は、加入者端末２１１から画像データ格納用の特別番号により、データ通信呼として発信する。
　【００８０】画像編集装置１０１のネットワーク接続部１４７は、発信された呼に応答して、呼を確立する。この時、発信者の電話番号は、ネットワーク接続部１４７に通知される。ネットワーク接続部１４７は、着信があった旨と発信者の電話番号を中央制御部１４５に通知する。
　【００８１】又、中央制御部１４５は、着信があった旨と発信者の電話番号に応答して、ネットワーク接続部１４７にパスワード入力指示を出力する。ネットワーク接続部１４７は、パスワード入力指示に応答して、加入者端末２１１に対してパスワードの入力を促すデータを送信する。
　【００８２】ネットワーク接続部１４７は、移動通信網Ａのデータ通信プロトコルに従い、加入者端末２１１にデータを送信しパスワードの入力を促す。発信者により携帯情報端末２１２のＷｅｂブラウザから入力されたパスワードは、移動通信網Ａを介してネットワーク接続部１４７に送信される。
　【００８３】中央制御部１４５は、ネットワーク接続部１４７からの発信者の電話番号とパスワードとに基づいて、セキュリティ管理部１３７に格納される設定テーブル１５１を参照し、セキュリティー・チェックを実行する。
　【００８４】次に、第１の場合において、第２の移動通信網Ａの加入者端末以外の端末からＷｅｂブラウザを用いて画像データを編集及び格納する場合について説明する。
　【００８５】この場合、移動通信網Ａの加入者端末以外の端末は、加入する通信網が持つインターネット網とのゲートウェイサーバ、社有のゲートウェイサーバ、或いはインターネット・サービスプロバイダにアクセスしてから、インターネット網５１を介して画像編集装置１０１にアクセスする。
　【００８６】この時、中央制御部１４５は、インターネット接続部１４７に番号入力指示を出力する。インターネット接続部１４７は、番号入力指示に応答して、発信者が所有している移動通信網Ａの移動体端末の電話番号とパスワードの入力を促すデータを送信する。
　【００８７】インターネット接続部１４７は、中央制御部１４５に発信者の電話番号とパスワードとを転送する。中央制御部１４５は、発信者の電話番号とパスワードとに基づいて、セキュリティ管理部１３７に格納される設定テーブル１５１を参照し、セキュリティー・チェックを実行する。
　【００８８】又、発信者が、移動通信網Ａの加入者端末以外の端末から画像編集装置１０１に直接アクセスする場合、発信者は、認証ＩＤ番号及び暗証番号の各々を、発信者が所有している移動通信網Ａの加入者端末の電話番号とパスワードとしてデータ通信呼として発信する。
　【００８９】ネットワーク接続部１４７は、各通信網のプロトコルに対応して接続処理する。或いは、外付けのアクセスポイントサーバを備える事でも対応できる。移動通信網Ａの加入者端末以外の端末から入力された発信者の電話番号とパスワードは、ネットワーク接続部１４７から中央制御部１４５に転送される。
　【００９０】中央制御部１４５は、発信者の電話番号とパスワードとに基づいて、セキュリティ管理部１３７に格納される設定テーブル１５１を参照してセキュリティー・チェックを実行する。
　【００９１】中央制御部１４５は、セキュリティー・チェックの結果、画像データのアップロードを許可しないと判断した場合、ネットワーク接続部１４７に呼を切断する指示を出力する。
　【００９２】又、中央制御部１４５は、画像データのアップロードを許可すると判断した場合、ネットワーク接続部１４７に画像データのアップロード命令を出力する。
　【００９３】更に、この時中央制御部１４５は、発信者が設定した編集仕様及び編集のタイミングを設定テーブル１５１から認識する。図３に示す発信者１の編集仕様は、フレーム無に、又、編集タイミングは、即時編集に設定されている。
　【００９４】ネットワーク接続部１４７は、中央制御部１４５からのアップロード命令に応答して、画像データのアップロードを促すデータを送信する。携帯情報端末２１２が受信したデータは、Ｗｅｂブラウザで表示される。発信者は転送すべき画像データのファイルを指定して画像データのアップロードを開始する。
　【００９５】画像データは、移動通信網Ａを介してネットワーク接続部１４７に転送される。ネットワーク接続部１４７は、転送された画像データのアップロードが終了した時に呼を切断する。
　【００９６】中央制御部１４５は、編集タイミングに基づいて、編集仕様と、ネットワーク接続部１４７からの発信者の電話番号及び転送された画像データとを画像編集部１３９に転送する。
　【００９７】画像編集部１３９は、編集仕様に基づいて画像データを編集する。例えば、図３に示す発信者１の編集仕様により、フレーム処理が実行される。
　【００９８】中央制御部１４５は、編集された画像データと発信者の電話番号とを画像格納部１４１に転送する。画像格納部１４１は、発信者の電話番号をインデックスとして編集された画像データを格納する。
　【００９９】又、画像格納部１４１は、編集された画像データを新規に保存する際に、画像データのＩＤ番号とパスワードとを発行する。中央制御部１４５は、発行された画像データのＩＤ番号とパスワードとをセキュリティー管理部１３７に転送する。
　【０１００】セキュリティ管理部１３７は、画像データのＩＤ番号とパスワードとを画像データテーブル１５３に格納する。又、中央制御部１４５は、発信者の電話番号と、画像データのＩＤ番号及びパスワードとを音声・ＦＡＸサービス装置１２５に転送する。
　【０１０１】音声・ＦＡＸサービス装置１２５は、発信者の電話番号に基づき発信し、編集された画像データのＩＤ番号とパスワードとを音声或いはＦＡＸにより通知する。
　【０１０２】次に、第２の場合の処理を詳細に説明する。発信者は、移動通信網Ａの加入者端末２１１’から携帯情報端末２１２’を利用して画像データを編集し、編集された画像データを格納する。
　【０１０３】発信者は、加入者端末２１１’から画像データ格納用の特別番号とパスワードとから成る接続先電話番号（図５参照）でデータ通信呼として発信する。
　【０１０４】画像編集装置１０１のネットワーク接続部１４７は、発信された呼に応答して、呼を確立する。この時、発信者の電話番号とパスワードは、ネットワーク接続部１４７に通知される。
　【０１０５】中央制御装置１４５は、ネットワーク接続部１４７からの発信者の電話番号とパスワードとに基づいて、セキュリティ管理部１３７に格納された設定テーブル１５１を参照してセキュリティー・チェックを実行する。
　【０１０６】中央制御部１４５は、セキュリティー・チェックの結果、画像データのアップロードを許可しないと判断した場合、ネットワーク接続部１４７に呼を切断する指示を出力する。
　【０１０７】又、中央制御部１４５は、画像データのアップロードを許可すると判断した場合、ネットワーク接続部１４７に画像データのアップロード命令を出力する。又、この時中央制御部１４５は、発信者が設定した編集仕様及び編集タイミングとを設定テーブル１５１から認識する。
　【０１０８】ネットワーク接続部１４７は、中央制御部１４５からの指示に応答して、画像データのアップロードを促すデータを送信する。携帯情報端末２１２’が受信したデータはＷｅｂブラウザで表示され、発信者は、転送すべき画像データのファイルを指定して画像データのアップロードを開始する。
　【０１０９】画像データは、移動通信網Ａを介してネットワーク接続部１４７に転送される。ネットワーク接続部１４７は、画像データのアップロードが終了した時に呼を切断する。
　【０１１０】中央制御部１４５は、編集タイミングに基づいて、編集仕様と、発信者の電話番号及びネットワーク接続部１４７からの転送された画像データを共に画像編集部１３９に転送する。画像編集部１３９は、編集仕様に基づいて画像データを編集する。
　【０１１１】中央制御部１４５は、発信者の電話番号と、編集された画像データとを画像格納部１４１に転送する。画像格納部１４１は、発信者の電話番号をインデックスとして編集された画像データを格納する。
　【０１１２】又、画像格納部１４１は、編集された画像データの新規に保存の際に、編集された画像データのＩＤ番号とパスワードとを発行する。中央制御部１４５は、発行された画像データのＩＤ番号とパスワードとをセキュリティー管理部１３７に転送する。
　【０１１３】セキュリティ管理部１３７は、発行されたＩＤ番号とパスワードとを画像データテーブル１５３に格納する。又、中央制御部１４５は、発信者の電話番号と、編集された画像データのＩＤ番号及びパスワードとを音声・ＦＡＸサービス装置１２５に転送する。
　【０１１４】音声・ＦＡＸサービス装置１２５は、発信者の電話番号に対して発信して、編集された画像データのＩＤ番号とパスワードとを音声或いはＦＡＸにより通知する。
　【０１１５】以上により、図３に示した発信者１の編集タイミング及び編集仕様に基づく編集処理が実行され、編集された画像データは格納される。
　【０１１６】又、発信者２の設定の様に、編集不要と設定されている場合、中央制御部１４５は、認識した編集仕様と編集タイミングに基づいて、発信者の電話番号とアップロードされた画像データを共に画像格納部１４１に格納する。
　【０１１７】画像格納部１４１は、発信者の電話番号をインデックスとして、編集された画像データを格納する。編集された画像データを新規に保存する際に、編集された画像データのＩＤ番号とパスワードとを発行する。
　【０１１８】中央制御部１４５は、発行されたＩＤ番号とパスワードとをセキュリティー管理部１３７に転送する。セキュリティ管理部１３７は、発行されたＩＤ番号とパスワードとを画像データテーブル１５３に格納する。
　【０１１９】又、中央制御部１４５は、発信者の電話番号と、編集された画像データのＩＤ番号及びパスワードとを音声・ＦＡＸサービス装置１２５に転送する。
　【０１２０】音声・ＦＡＸサービス装置１２５は、発信者の電話番号に対して発信して、編集された画像データのＩＤ番号とパスワードとを音声或いはＦＡＸにより通知先に通知する。
　【０１２１】又、発信者３の設定の様に、別途登録と設定されている場合、発信者から編集タイミングが更新登録された後に、上述したセキュリティー・チェックを経て発信者１或いは発信者２の編集処理が実行される。
　【０１２２】次に、送信手段１０３に係る処理について説明する。例えば、図３に示す発信者１及び発信者２の送信処理は、新規格納時に実行される。
　【０１２３】新規格納時の送信処理は、画像格納部１４１に画像データが新規に格納された時に実行される。画像データが新規に格納される時には、編集された画像データのＩＤ番号及びパスワードとが発行される。
　【０１２４】画像格納部１４１は、編集された画像データが新規に格納された際、インデックスである発信者の電話番号と、編集された画像データのＩＤ番号及びパスワードとを中央制御部１４５に転送する。
　【０１２５】中央制御部１４５は、発信者の電話番号、編集された画像データのＩＤ番号及びパスワードとに応答して、セキュリティ管理部１３７に格納される設定テーブル１５１を参照して、発信者の電話番号に基づいて送信タイミングを認識する。
　【０１２６】中央制御部１４５は、設定テーブル１５１から発信者１の送信タイミングとして新規格納時送信を認識し、通知先の電話番号、又は電子メイルの送信先のインターネット・メイルアドレス及びメッセージとを取得する。
　【０１２７】更に、中央制御部３２１は、発信者の電話番号を頼りに、画像格納部１４１から編集された画像データを取得する。編集された画像データは、発信者の電話番号と共に画像編集部１３９に転送される。画像編集部１３９は、メッセージと編集された画像データとから電子メイルを作成し、中央制御部１４５に転送する。
　【０１２８】中央制御部１４５は、送信先のインターネット・メイルアドレスと共に、作成された電子メイルをインターネット接続部１４９に転送する。インターネット接続部１４９は、インターネット網Ｆを介して、作成された電子メイルを送信先のインターネット・メイルアドレスに送信する。
　【０１２９】更に、中央制御部１４５は、通知先の電話番号と、編集された画像データのＩＤ番号とパスワードとを音声・ＦＡＸサービス装置１２５に転送する。音声・ＦＡＸサービス装置１２５は、通知先の電話番号に対して発信する。
　【０１３０】この発信処理により、編集された画像データのＩＤ番号とパスワードは、音声或いはＦＡＸにより通知先に通知される。又、音声・ＦＡＸサービス装置１２５は、ＰＢ信号の送信も可能であり、文字メッセージによる通知も可能である。
　【０１３１】以上により、発信者１及び発信者２により設定された送信処理が実行される。又、発信者３により設定された送信処理は、発信者から編集タイミングが更新登録され、編集処理が実行された場合に上述の送信処理が実行される。
　【０１３２】発信者４による時間指定された送信処理について説明する。この場合、中央制御部１４５内に設けられた計時カウンタ１５５の動作に従う。計時カウンタ１５５は、中央制御部１４５の外部に設けても良い。
　【０１３３】この時間指定による送信処理において、中央処理部１４５は、予め設定テーブル１５１の送信タイミングを定期的にチェックし、設定された時刻と計時カウンタ１５５が計時した時刻とが一致した場合に、時間指定した発信者の設定内容を取得する。
　【０１３４】次に、中央処理部１４５は、送信処理を実行する旨と、認識した発信者の電話番号と、メッセージと、送信先のインターネット・メイルアドレス又は通知先の電話番号と、編集された画像データのＩＤ番号及びパスワードと取得する。
　【０１３５】更に、中央制御部１４５は、発信者の電話番号を頼りに、画像格納部１４１から編集された画像データを取得する。編集された画像データは、メッセージ及び発信者の電話番号と共に画像編集部１３９に転送され、画像編集部１３９にて電子メイルが作成される。
　【０１３６】中央制御部１４５は、送信先のインターネット・メイルアドレスと共に、作成された電子メイルをインターネット接続部１４９に転送する。インターネット接続部１４９は、作成された電子メイルをインターネット網Ｆを介して、送信先のインターネット・メイルアドレスに送信する。
　【０１３７】更に、中央制御部１４５は、通知先の電話番号、編集された画像データのＩＤ番号とパスワードとを音声・ＦＡＸサービス装置１２５に転送する。音声・ＦＡＸサービス装置１２５は、着信者の電話番号に対して発信する。この発信処理により、編集された画像データのＩＤ番号とパスワードは、音声或いはＦＡＸにより通知先に通知される。
　【０１３８】次に、画像編集装置１０１は、格納手段１０３及び送信手段１０５以外に、その付加的機能として閲覧手段１０７と、編集手段１０９と、出力手段１１１と、通信補助手段１１３及びカスタマ設定手段１１５とを更に備える。
　【０１３９】閲覧手段１０７は、発信者に指定された着信者が、電子メイルを閲覧する為の機能と、画像編集装置１０１に格納されている編集された画像データを閲覧する為の処理を実行する。
　【０１４０】着信者の送信先としてインターネット・メイルアドレスが設定されている場合、編集された画像データは、インターネット網Ｆを介して電子メイルとして送信される。着信者は、メイルサーバにアクセスして電子メイルを取得し、自分の情報端末で電子メイルを閲覧する。
　【０１４１】画像編集装置１０１に格納されている編集された画像データの閲覧は、編集された画像データのオーナーであれば格納した画像を全て閲覧できる。画像編集装置１０１にアクセスする方法は、画像データの格納時と同じである。
　【０１４２】上述の格納手段１０３と同様にこのアクセス手順は、発信者であるオーナーが、Ｗｅｂブラウザが動作する端末からアクセスする場合と、Ｗｅｂブラウザが動作しないがモデム機能を搭載する端末からアクセスする場合とでは、異なるアクセスが実行される。
　【０１４３】更に、オーナーが、Ｗｅｂブラウザが動作する端末からアクセスする場合、移動通信網Ａの加入者端末からのアクセスする場合と、移動通信網Ａの加入者端末以外の端末からのアクセスする場合とでは、異なるアクセスが実行される。
　【０１４４】中央制御部１４５は、オーナーからの移動通信網Ａの加入者端末としての電話番号とパスワードとに基づいて、セキュリティ管理部１３７に格納された設定テーブル１５１を参照して、セキュリティー・チェックを実行する。
　【０１４５】中央制御部１４５は、セキュリティー・チェックの結果、オーナーであると判定した場合は、画像データテーブル１５３を参照して、オーナーが格納する全ての画像データのＩＤ番号を取得する。
　【０１４６】更に、中央制御部１４５は、発信者の電話番号を頼りに、画像格納部１４１から編集された画像データを取得し、発信者に編集された画像データをダウンロードする。
　【０１４７】次に、オーナー以外の閲覧者が、編集された画像データを閲覧する場合を説明する。
　【０１４８】この場合の閲覧者は、設定テーブルに通知先の電話番号のみが設定されているか、或いは設定テーブル１５１には通知先として設定されていないが、入手したい編集された画像データのＩＤ番号とパスワード、又はそれら番号の代用として認証ＩＤ番号及び暗証番号を有する者に限定される。
　【０１４９】第１の閲覧手段として、閲覧者は、閲覧者自身が利用している通信網が有するインターネット網Ｆとのゲートウェイサーバ、又は社有のゲートウェイサーバ、或いはインターネット・サービスプロバイダにアクセスする。更に、閲覧者は、インターネット網Ｆを介して、画像編集装置１０１にアクセスする。
　【０１５０】画像編集装置１０１のインターネット接続部１４９は、中央制御部１４５の指示に従い、閲覧者から入力された編集された画像データのＩＤ番号とパスワードを中央制御部１４５に転送する。
　【０１５１】又、第２の閲覧手段として、認証ＩＤ番号及び暗証番号の各々を画像データのＩＤ番号及びパスワードとして、データ通信呼により画像編集装置１０１に直接アクセスする。
　【０１５２】画像編集装置１０１のネットワーク接続部１４７は、中央制御部１４５からの指示に従い、閲覧者から入力された認証ＩＤ番号及び暗証番号を中央制御部１４５に転送する。
　【０１５３】中央制御部１４５は、編集された画像データのＩＤ番号とパスワード（或いは、認証ＩＤ番号及び暗証番号）とに応答して、画像データテーブル１５３を参照して、閲覧の可否を判定する。
　【０１５４】中央制御部１４５は、閲覧を許可すると判定した場合は、編集された画像データのオーナーである発信者の電話番号も設定テーブル１５１から取得する。
　【０１５５】又、中央制御部１４５は、発信者の電話番号を頼りに、画像格納部１４１から編集された画像データを取得し、編集された画像データを閲覧者にダウンロードする。
　【０１５６】次に、編集手段１０９は、編集仕様に基づいて画像データを処理して格納した後に、選択された編集パターンに基づいて編集された画像データに再度編集処理を施す。
　【０１５７】画像データの編集はオーナーだけに権利が許されている。第１の編集処理として、Ｗｅｂブラウザが動作する情報端末による処理、第２の編集処理として、電話機による処理がある。ここでの編集処理には、画像データの消去も含まれる。
　【０１５８】第１の編集処理として、Ｗｅｂブラウザが動作する情報端末による編集処理を説明する。オーナーは、Ｗｅｂブラウザが動作する情報端末により、利用している通信網が持つインターネット網とのゲートウェイサーバ、又は社有のゲートウェイサーバ、或いはインターネット・サービスプロバイダにアクセスする。
　【０１５９】次に、オーナーは、インターネット網Ｆを介して画像編集装置１０１にアクセスし、移動通信網Ａの加入者端末の電話番号とパスワードとを入力して編集する。
　【０１６０】画像編集装置１０１のインターネット接続部１４９は、中央制御部１４５の指示に従い、閲覧者から入力された編集された画像データのＩＤ番号とパスワードを中央制御部１４５に転送する。
　【０１６１】又、オーナーは、Ｗｅｂブラウザが動作する情報端末により、画像編集装置１０１に直接アクセスして編集する。オーナーは、認証ＩＤ番号及び暗証番号を各々移動通信網Ａの加入者端末の電話番号及びパスワードとして、データ通信呼で画像編集装置１０１にアクセスする。
　【０１６２】画像編集装置１０１のネットワーク接続部１４７は、中央制御部１４５からの指示に従い、閲覧者から入力された認証ＩＤ番号及び暗証番号を中央制御部１４５に転送する。
　【０１６３】中央制御部１４５は、発信者の電話番号に基づいて、セキュリティ管理部１３７に格納された設定テーブル１５１を参照してセキュリティー・チェックを実行する。
　【０１６４】又、中央処理部１４５は、セキュリティー・チェックの結果に基づきオーナーであるか否かを判定する。中央処理部１４５は、オーナーであると判定した場合は、オーナーが格納している全ての編集された画像データのＩＤ番号を通知する。
　【０１６５】更に、中央制御部１４５は、発信者の電話番号を頼りに画像格納部１４１から編集された画像データを取得し、発信者に編集された画像データをダウンロードする。
　【０１６６】オーナーは、Ｗｅｂブラウザ上にダウンロードされた編集された画像データの中から、更に編集を施すべき画像データを選択する。選択された画像データは、中央制御部１４５に転送される。
　【０１６７】中央制御部１４５は、発信者の電話番号を頼りに画像格納部１４１から上記選択された画像データを取得し、画像編集部１３９に転送する。
　【０１６８】中央制御部１４５は、画像編集部１３９から編集パターンを読出し、オーナーにダウンロードする。オーナーは、Ｗｅｂブラウザ上にダウンロードされた編集パターンの中から好みの編集パターンを選択する。
　【０１６９】選択された編集パターンは、中央制御部１４５に通知される。中央制御部１４５は、選択された編集パターンを転送する。画像編集部１３９は、選択された編集パターンに基づいて編集処理を実行する。
　【０１７０】中央制御部１４５は、画像編集部１３９から次のカテゴリの編集パターンを取得する。中央制御部１４５は、次に編集パターンを発信者にダウンロードし、オーナーが引き続き好みの編集パターンを選択する。この各種カテゴリに対応する編集を繰り返して編集処理は実行される。
　【０１７１】又、オーナーは、選択された画像データがダウンロードされた時、自分の情報端末上で選択された画像データを編集することも可能である。
　【０１７２】第２の編集処理として、電話機による編集処理を説明する。この場合、オーナーは、音声・ＦＡＸサービス装置１２５に発信して、移動通信網Ａの加入者端末としての電話番号及びパスワードを入力してから編集する。
　【０１７３】中央制御部１４５は、音声・ＦＡＸサービス装置１２５からの発信者の電話番号及びパスワードに応答して、セキュリティ管理部１３７に格納された設定テーブル１５１を参照して、セキュリティ・チェック（オーナー・チェック）を実行する。
　【０１７４】又、中央制御部１４５は、オーナーであると判定した場合は、画像データテーブル１５３を参照して、オーナーが格納している編集された画像データのＩＤ番号を全て取得する。
　【０１７５】更に、中央制御部１４５は、音声・ＦＡＸサービス装置１２５に編集すべき画像データのＩＤ番号の入力を促すガイダンスの送出を指示する。発信者が入力した編集すべき画像データのＩＤ番号は、音声・ＦＡＸサービス装置１２５から中央制御部１４５に通知される。
　【０１７６】更に、中央制御部１４５は、取得したＩＤ番号の中に、発信者が入力した編集すべき画像データのＩＤ番号が有るか否かを判定する。中央制御部１４５は、編集すべき画像データのＩＤ番号が有ると判定した場合は、発信者の電話番号を頼りに画像格納部１４１から編集すべき画像データを取得し、画像編集部１３９に転送する。
　【０１７７】更に、中央制御部１４５は、画像編集部１３９から編集パターンを読出し、音声・ＦＡＸサービス装置１２５に転送する。オーナーは、編集パターンの中から好みの編集パターンを選択する。
　【０１７８】選択された編集パターンは、音声・ＦＡＸサービス装置１２５を介して、中央制御部１４５に転送される。中央制御部１４５は、選択された編集パターンを画像編集部１３９に転送する。画像編集部１３９は、選択された編集パターンに基づいて編集処理を実行する。
　【０１７９】尚、音声・ＦＡＸサービス装置１２５は、ＰＢ受信機能及び音声認識機能を有し、ＰＢや音声による入力が可能である。編集された画像データは、画像編集部１３９から中央制御部１４５に転送され、画像格納部１４１に再度格納される。この時、編集された画像データのＩＤ番号とパスワードは発行されない。
　【０１８０】上記編集処理とは別な編集処理として、未だ編集及び格納されていない画像データに対しても、登録した年月日等の編集パターンを事前に選択しておき、格納時に自動編集させる処理も可能である。編集された画像データのＩＤ番号とパスワードを入力しないこと以外は上記編集方法と同様である。
　【０１８１】次に、出力手段１１１は、選択された出力パターンに基づいて、出力すべき画像データを印刷する。出力手段１１１は、オーナーだけに利用権利が許されている。出力指示は、Ｗｅｂブラウザが動作する情報端末、或いは電話機で行う。
　【０１８２】Ｗｅｂブラウザが動作する情報端末から出力指示する場合も、電話機から出力指示する場合も、オーナーの認証、画像データの選択方法は、上述した編集手段１０９と同様である。
　【０１８３】Ｗｅｂブラウザが動作する情報端末から出力指示する第１の場合は、オーナーは、ネットワーク接続部１４７又はインターネット接続部１４９を介して、中央制御部１４５からの指示に従い出力すべき画像データを選択する。更に、オーナーは、中央制御部１４５からの指示に従い出力パターンを選択する。
　【０１８４】電話機から出力指示する第２の場合は、オーナーは、音声・ＦＡＸサービス装置１２５を介して、中央制御部１４５からの指示に従い出力すべき画像データを選択する。更に、オーナーは、中央制御部１４５からの指示に従い出力パターンを選択する。出力パターンは、外部出力部１４３に格納される。
　【０１８５】中央制御部１４５は、設定テーブル１５１を参照して、発信者であるオーナーの電話番号を頼りに画像格納部１４１から出力すべき画像データを取得し、選択された出力パターンと併せて外部出力部１４３に転送する。
　【０１８６】出力装置１２３は、外部出力部１４３からの出力すべき画像データを、選択された出力パターンに従い出力する。
　【０１８７】出力装置１２３は、シール、キーホルダー、Ｔシャツ等様々な媒体への出力を可能とし、外部出力部１４３からの指示に従い、出力すべき画像データを媒体に印刷してオリジナルグッズを作成する。
　【０１８８】次に、通信補助手段１１３は、移動通信網Ａの加入者端末間のデータ通信における継続性を補償し、更に移動通信網Ａの加入者端末に適したデータ修正を実行する。
　【０１８９】移動通信網Ａの加入者端末を使用して、画像編集装置１０１からデータ通信を行っている場合に限り実行される。中央制御部１４５は、データ送信指示をネットワーク接続部１４７に出力せずに移動通信対応部１３３に出力する。
　【０１９０】移動通信対応部１３３は、送信すべきデータを携帯情報端末の能力に合わせて画像の縮小及び減色処理を行う。処理されたデータは、ネットワーク接続部１４７に転送され、携帯情報端末に送信される。
　【０１９１】移動通信対応部１３３は、データの送信状態を監視する。移動通信対応部１３３は、通信が途中で切れても通信状態が復旧したら再接続し、データの途切れた箇所から通信を実行する様にネットワーク接続部１４７に指示する。
　【０１９２】次に、カスタマ設定手段１１５は、上述の格納手段１０３及び送信手段１０５の処理の前提となる設定を実行する。カスタマ設定手段１１５は、オーナーだけに利用権利が許されている。設定テーブル１５１に対する設定は、Ｗｅｂブラウザが動作する端末、或いは電話機で行われる。
　【０１９３】情報端末から設定する場合も、電話機から設定する場合も、セキュリティー・チェックの方法は上述した画像データの格納手段１０３と場合と同様である。
　【０１９４】Ｗｅｂブラウザが動作する情報端末から設定する場合は、発信者は、ネットワーク接続部１４７又はインターネット接続部１４９を介して、中央制御部１４５からの指示に従い転送する画像データに対応する情報を設定する。
　【０１９５】電話機から設定する場合は、発信者は、音声・ＦＡＸサービス装置１２５を介して、中央制御部１４５からの指示に従い転送する画像データに対応する情報を設定する。
　【０１９６】設定項目は、図３に示した設定テーブル１５１に従う。入力された情報は、中央制御部１４５に転送される。中央制御部１４５は、入力された情報を発信者の電話番号をインデックスにして設定テーブル１５１に格納する。
　【０１９７】本発明の画像編集サービスシステムは、移動通信網Ａのセンター局に画像編集装置１０１を備える。利用者は、画像編集用の高機能な情報端末を所持せずに手軽に画像通信ができる。
　【０１９８】又、インターネット網Ｆに依存しない通信網（図１では、移動通信網Ａ）の通信事業者がサービス提供者となる為、移動通信網Ａの加入者であれば画像を編集して格納できる。更に、通信サポート機能、又は出力機能等の付加的機能により、便利さや楽しさが提供される。
　【０１９９】次に、本発明の第２の実施の形態に係る画像編集サービスシステムについて説明する。本実施の形態における画像編集サービスシステムの構成は、前述の第１の実施の形態の構成と同じである。
　【０２００】上述の実施の形態では、画像編集装置１０１を移動通信網Ａのセンター局に備えた。本実施の形態は、画像の編集や出力処理を外部のインターネット・サービスプロバイダに委託する。
　【０２０１】画像編集装置１０１は、画像の編集時に委託先のインターネット・サービスプロバイダに画像データを送信する。委託先のサービスプロバイダは、発信者からの編集指示に従い画像データを編集する。
　【０２０２】画像データは、編集仕様に基づいて編集される。編集仕様は、送信局が画像データを編集する際に、インターネット網Ｆを利用して設定されるか、或いは受信局が画像データを編集する際に、インターネット網Ｆを利用して設定される。
　【０２０３】各通信事業者の全加入者のインターネット・メイルアドレスがインターネット・サービスプロバイダに登録さインターネット網Ｆを介する電子メイルの送受信も可能になるので、音声・ＦＡＸサービス装置１２５の音声合成機能を利用して、電子メールの読上げサービス等、幅広いデータ通信サービスが供給される。
　【０２０４】
　【発明の効果】本発明による画像編集サービスシステムは、利用者からの画像データに編集を施して格納する。この通信事業者網によるサービスは、インターネット・サービスプロバイダに加入していない利用者にも提供される。
【図面の簡単な説明】
　【図１】図１は、本発明の第１の実施の形態に係る画像編集サービスシステムを説明する為のブロック構成図である。
　【図２】図２は、画像編集装置を説明する為のブロック構成図である。
　【図３】図３は、画像編集装置内に格納される設定テーブルを説明する為の図である。
　【図４】図４は、本発明の第１の実施の形態に係る画像編集サービスを説明する為のフローチャート図である。
　【図５】図５は、接続先電話番号の構成を説明する為の図である。
　【図６】図６は、従来の画像編集システムを説明すす為のブロック構成図である。
　【符号の説明】
　Ａ，Ｂ，Ａ’，Ｂ’　　　　：移動通信網
　Ｃ，Ｃ’　　　　　　　　：固定通信網
　ＩＳＰ−Ｄ，ＩＳＰ−Ｅ，
　ＩＳＰ−Ｄ’，ＩＳＰ−Ｅ’：インターネット・サービスプロバイダ
　Ｆ，Ｆ’　　　　　　　　　：インターネット網
　１０１　　：画像編集装置
　１０３　　：格納手段
　１０５　　：送信手段
　１０７　　：閲覧手段
　１０９　　：編集手段
　１１１　　：出力手段
　１１３　　：通信補助手段
　１１５　　：カスタマ設定手段
　１２１　　：センター局
　１２３　　：出力装置
　１２５　　：音声・ＦＡＸサービス装置
　１３１　　：画像編集部
　１３３　　：移動通信対応部
　１３５　　：プロトコル処理部
　１３７　　：セキュリティ管理部
　１３９　　：画像編集部
　１４１　　：画像格納部
　１４３　　：外部出力部
　１４５　　：中央制御部
　１４７　　：ネットワーク接続部
　１４９　　：インターネット接続部
　１５１　　：設定テーブル
　１５３　　：画像データテーブル
　１５５　　：計時カウンタ
　２１１，２１１’，２２１，６０１，６０４　　　　：移動体端末
　２１２，２１２’、２２２，６０２　　　　　　　　：携帯情報端末
　２３２，２４３，６０３，６０５，６０６，６０７　：情報端末